(57)【要約】【課題】ＨＤＭＩ規格の伝送路をワイヤレス化して、映像データを良好に伝送できるようにする。【解決手段】所定ビット単位の映像データを、画素クロックに同期して、画素単位のデータをソース側装置からシンク側装置に伝送する伝送方式を利用して伝送するものに適用される。そして、ソース側装置とシンク側装置との間の伝送路の少なくとも一部をワイヤレス化する。シンク側装置は、自らの装置での映像の表示能力又は再生能力に関する情報を記憶する。ソース側装置とシンク側装置のいずれかで、ワイヤレス化した伝送路の映像データの伝送速度又は伝送レートを判断し、ソース側装置が、シンク側装置で記憶した、映像の表示能力又は再生能力に関する情報を読み出す際に、判断した伝送速度又は伝送レートに応じて、記憶した情報を修正するようにした。【選択図】図９
2008113198.tif 000002
【特許請求の範囲】
【請求項１】
所定ビット単位の映像データを、画素クロックに同期して、画素データ単位でソース側装置からシンク側装置に伝送する伝送方式を利用して映像データを伝送する伝送方法であって、
前記ソース側装置と前記シンク側装置との間の伝送路の少なくとも一部をワイヤレス化し、
前記シンク側装置が、自らの装置での映像の表示能力又は再生能力に関する情報を記憶し、
前記ワイヤレス化した伝送路の映像データの伝送速度又は伝送レートを判断し、
前記ソース側装置が、前記シンク側装置で記憶した、前記映像の表示能力又は再生能力に関する情報を読み出す際に、前記判断した伝送速度又は伝送レートに応じて、前記記憶した情報を修正して、前記ソース側装置に送ることを特徴とする
伝送方法。
【請求項２】
所定ビット単位の映像データを、画素クロックに同期して、画素データ単位でソース側装置からシンク側装置に伝送する伝送システムであって、
前記ソース側装置と前記シンク側装置との間の伝送路の少なくとも一部をワイヤレス化し、
前記シンク側装置として、自らの装置での映像の表示能力又は再生能力に関する情報を記憶するシンク側記憶部を設け、
前記ソース側装置と前記シンク側装置の少なくともいずれか一方に、前記ワイヤレス化した伝送路での映像データの伝送速度又は伝送レートを判断する判断部を設け、
前記ソース側装置として、前記シンク側記憶部に記憶された映像の表示能力又は再生能力を読み出す際に、前記判断部で判断した伝送速度又は伝送レートに応じて、前記記憶した情報を修正する修正部を備えたことを特徴とする
伝送システム。
【請求項３】
請求項２記載の伝送システムにおいて、
前記判断部が判断した伝送速度又は伝送レートに応じて、前記記憶した情報を修正する場合に、表示画質又は再生画質の劣化が目立たないものから優先的に、情報を伝送レートの低いものに修正することを特徴とする
伝送システム。
【請求項４】
請求項２記載の伝送システムにおいて、
前記ソース側装置として、送信させる映像データを、前記判断部で判断した伝送速度又は伝送レートに応じて、圧縮させる圧縮部を備え、
前記シンク側装置として、伝送された映像データを伸長させる伸張部を備えたことを特徴とする
伝送システム。
【請求項５】
所定ビット単位の映像データを、画素クロックに同期して、少なくとも一部の伝送路がワイヤレス化された伝送路を使用して、画素データ単位でシンク側装置に伝送する送信装置であって、
前記ワイヤレス化した伝送路での映像データの伝送速度又は伝送レートを判断する判断部と、
前記シンク側記憶部に記憶された映像の表示能力又は再生能力の情報を読み出す読出し部と、
前記読出し部で読み出した能力の情報を、前記判断部で判断した伝送速度又は伝送レートに応じて修正する修正部を備えたことを特徴とする
送信装置。
【請求項６】
所定ビット単位の映像データを、画素クロックに同期して、少なくとも一部の伝送路がワイヤレス化された伝送路を使用して、画素データ単位でシンク側装置に伝送する送信装置であって、
前記ワイヤレス化した伝送路での映像データの伝送速度又は伝送レートを判断する判断部と、
前記シンク側記憶部に記憶された映像の表示能力又は再生能力の情報を読み出す読出し部と、
前記読出し部で読み出した能力の情報を、前記判断部で判断した伝送速度又は伝送レートに応じて修正する修正部と、
前記読出し部で読み出した能力の情報に応じて、送信する映像データを圧縮する圧縮部とを備えたことを特徴とする
送信装置。
【請求項７】
所定ビット単位の映像データを、画素クロックに同期して、少なくとも一部の伝送路がワイヤレス化された伝送路を使用して、画素データ単位でソース側装置から受信する受信装置であって、
自らの装置での映像の表示能力又は再生能力に関する情報を記憶する記憶部と、
前記記憶部の記憶情報で示される能力と前記ワイヤレス化した伝送路での映像データの伝送速度又は伝送レートとに基づいて、受信した映像データを伸長させる伸張部とを備えたことを特徴とする
受信装置。
【発明の詳細な説明】
【技術分野】
【０００１】
本発明は、ＨＤＭＩ（High-Definition Multimedia Interface）規格と称されるデジタル映像・音声入出力インターフェース規格に適用して好適な伝送方法及び伝送システム、並びにこの伝送システムに適用される送信装置及び受信装置に関し、特に、伝送路をワイヤレス化して伝送する技術に関する。
【背景技術】
【０００２】
近年、複数台の映像機器の間で、非圧縮のデジタル映像データなどを伝送させるインターフェース規格として、ＨＤＭＩ規格と称されるものが開発されている。ＨＤＭＩ規格は、映像データを、各色の原色データとして、１画素単位で個別に伝送する規格である（以下画素をピクセルと称する場合もある）。音声データ（オーディオデータ）についても、映像データのブランキング期間に、映像データの伝送ラインを使用して伝送するようにしてある。伝送する原色データは、赤，緑，青の加法混色の３チャンネルの原色データ（Ｒデータ，Ｇデータ，Ｂデータ）を伝送する場合と、Ｙ，Ｃｂ，Ｃｒといった輝度および色差信号を伝送する場合とがある。
【０００３】
ＨＤＭＩ規格では、各色の１ピクセルのデータは、基本的に８ビットを単位として構成される。水平同期信号や垂直同期信号などの同期信号についても、それぞれの同期信号が配置されるタイミングに送信される。さらに、ＨＤＭＩ規格のインターフェースでは、別のチャンネルを使用して、制御データやピクセルクロックを伝送するようにしてある。制御データについては、映像データの送信側機器（ソース側機器）から受信側機器（シンク側機器）への伝送だけでなく、受信側機器（シンク側機器）から送信側機器（ソース側機器）への伝送も行える構成としてある。また、ソース側機器では、８ビット単位でデータを暗号化してあり、シンク側機器では、８ビット単位でデータをその暗号化からの復号化を行うようにしてある。
【０００４】
また、ＨＤＭＩ規格では、シンク側機器がＥ−ＥＤＩＤ情報を記憶するメモリを備えて、そのメモリの記憶情報をソース側機器に転送して、ソース側機器が、シンク側機器の能力を判断して、ソース側機器が送出する映像データのフォーマットなどを判断するようにしてある。シンク側機器が記憶するＥ−ＥＤＩＤ情報の詳細については後述する実施の形態で説明するが、簡単に述べると、例えば、その機器が表示装置の場合には、その機器で表示できる映像表示能力（即ち表示可能なフォーマット）のデータである。ソース側機器では、その情報を読み出して、適合したフォーマットの映像データを送信する。ここでのフォーマットとは、１フレームの画像を構成する画素数やフレームレートなどの情報であり、フォーマットの違いが、伝送レートの違いにつながる。
【０００５】
特許文献１には、ＨＤＭＩ規格において、ソース側機器とシンク側機器との間で、Ｅ−ＥＤＩＤ情報をやり取りする点についての開示がある。
【特許文献１】特開２００６−３３５７５号公報
【発明の開示】
【発明が解決しようとする課題】
【０００６】
ところで、ＨＤＭＩ規格のケーブルで接続する場合には、伝送可能な距離はケーブルの長さで制限される問題があった。ＨＤＭＩ規格のケーブルでの伝送は、非常にクロックレートの高い伝送であり、ケーブルそのものを長くした場合には、伝送特性の悪化が発生して、伝送に支障を来たす問題がある。
【０００７】
この問題点を解決するためには、例えば、伝送路をワイヤレス化することが考えられるが、ワイヤレス化した場合には、無線伝送路での伝送特性を考慮する必要が生じ、上述したＨＤＭＩ規格での、Ｅ−ＥＤＩＤ情報の読み出しに基づいた伝送フォーマットの設定などをそのまま適用しただけでは、良好な伝送ができない可能性がある。例えば、無線伝送路の状態が悪い場合には、Ｅ−ＥＤＩＤ情報を読み出して、そのＥ−ＥＤＩＤ情報で許容されたフォーマットで伝送させても、シンク側機器で正しく受信できない可能性がある。
【０００８】
本発明はかかる点に鑑みてなされたものであり、ＨＤＭＩ規格の伝送路をワイヤレス化して、映像データを良好に伝送できるようにすることを目的とする。
【課題を解決するための手段】
【０００９】
本発明は、所定ビット単位の映像データを、画素クロックに同期して、画素単位のデータをソース側装置からシンク側装置に伝送する伝送方式を利用して伝送するものに適用される。そして、ソース側装置とシンク側装置との間の伝送路の少なくとも一部をワイヤレス化する。シンク側装置は、自らの装置での映像の表示能力又は再生能力に関する情報を記憶する。ソース側装置とシンク側装置のいずれかで、ワイヤレス化した伝送路の映像データの伝送速度又は伝送レートを判断し、ソース側装置が、シンク側装置で記憶した、映像の表示能力又は再生能力に関する情報を読み出す際に、判断した伝送速度又は伝送レートに応じて、記憶した情報を修正するようにした。
【００１０】
このようにしたことで、ワイヤレス化された伝送路の伝送状態を考慮して、シンク側装置が記憶した、この装置での映像の表示能力又は再生能力に関する情報が、修正されてソース側装置に伝わるようになり、ワイヤレス伝送路での伝送能力も、この情報が示すようになる。
【発明の効果】
【００１１】
本発明によると、シンク側装置が記憶した、この装置での映像の表示能力又は再生能力に関する情報が、ワイヤレス化された伝送路の伝送状態を考慮して修正された上で、ソース側装置に伝わるようになる。従って、ソース側装置が映像データを送出する際には、その読み出した情報を使用して、送出させる映像データのフォーマットなどを決めることで、ワイヤレス伝送路での無線伝送状態の不良まで考慮した送出が可能となり、適正なフォーマットの映像データを送出させて、正しくシンク側装置に伝送できるようになる。
【発明を実施するための最良の形態】
【００１２】
以下、本発明の一実施の形態を、図１〜図９を参照して説明する。
【００１３】
本例においては、ＨＤＭＩ規格でソース機器からシンク機器に映像データなどを伝送する伝送システムに適用したものである。図１は、本例のシステム構成例を示した図で、ソース機器１０であるビデオ記録再生装置から、シンク機器４０であるテレビジョン受像機に、ＨＤＭＩ規格の映像データや音声データなどを伝送するものである。ソース機器１０は、ＨＤＭＩ規格の映像データ出力端子を備える。シンク機器４０は、ＨＤＭＩ規格の映像データ入力端子を備える。
【００１４】
ソース機器１０は、ＨＤＭＩケーブル１でワイヤレス送信装置２０と接続してある。シンク機器４０は、ＨＤＭＩケーブル３でワイヤレス受信装置３０と接続してある。ワイヤレス送信装置２０とワイヤレス受信装置３０との間は、無線伝送を行って、無線伝送路２を構成させる。無線伝送路２での無線伝送方式としては、例えば、ＩＥＥＥ８０２．１１ｎ規格の無線伝送規格を適用する。このＩＥＥＥ８０２．１１ｎ規格は、ＭＩＭＯ(Multiple Input Multiple Output)方式を適用した無線伝送方式であり、比較的高いビットレートでの無線伝送が可能である。
【００１５】
各機器の構成について説明すると、ソース機器１０は、再生部１１を備えて、媒体から再生した映像コンテンツの映像データや音声データなどを、ＨＤＭＩ送信部１２に送る。ＨＤＭＩ送信部１２に送る際には、映像の１フレームの画素数やフレームレートなどが、制御部１３の制御で可変設定可能である。また、後述するＥ−ＥＤＩＤ情報の読み出しについても、制御部１３の制御で行う。ＨＤＭＩ送信部１２は、ＨＤＭＩ端子からＨＤＭＩケーブル１に映像データなどを送信させる処理を行う。制御データなどの一部のデータは、受信も行う。
【００１６】
ワイヤレス送信装置２０は、ＨＤＭＩ受信部２１を備え、ＨＤＭＩケーブル１を介して伝送された映像データなどを受信する処理を行う。制御データなどの一部のデータについては、送信も行う。ＨＤＭＩ受信部２１で受信したデータは、ワイヤレス送受信部２２で無線送信処理を行い、接続されたアンテナ２３から無線送信させる。ワイヤレス送受信部２２での受信についても可能である。ワイヤレス送信装置２０での伝送処理は、制御部２４の制御で実行される。制御部２４には、記憶部２５が接続させてあり、ソース機器１０とのＨＤＭＩケーブルでの通信に必要な、Ｅ−ＥＤＩＤ情報を記憶する。但し、このワイヤレス送信装置２０の記憶部２５に記憶されるＥ−ＥＤＩＤ情報は、ワイヤレス送信装置２０自身の情報ではなく、シンク機器４０から読み出したＥ−ＥＤＩＤ情報を、無線伝送路２の無線通信状態に対応して修正した情報である。この修正を行うための制御は、制御部２４が実行する。
【００１７】
ワイヤレス受信装置３０は、アンテナ３１が接続されたワイヤレス送受信部３２を備え、ワイヤレス送受信部３２が受信したデータを、ＨＤＭＩ送信部３３に送り、ＨＤＭＩ送信部３３からＨＤＭＩケーブル３を介して、シンク機器４０に伝送する。ＨＤＭＩ送信部３３では、制御データなどを受信することもできる。ワイヤレス受信装置３０での伝送処理は、制御部３４の制御で実行される。
【００１８】
シンク機器４０は、ＨＤＭＩ受信部４１を備えて、ワイヤレス受信装置３０から伝送された映像データを表示部４２に送り、映像を表示させる。ＨＤＭＩ受信部４１では、制御データなどを送信することもできる。ＨＤＭＩ受信部４１での受信や、表示部４２での表示は、制御部４３の制御で実行される。制御部４３には、記憶部４４が接続してある。この記憶部４４には、このシンク機器自身で表示可能な映像フォーマットの種類についての情報である、Ｅ−ＥＤＩＤ情報を記憶する。なお、シンク機器４０が、ＨＤＭＩ受信部４１を別の形式の出力端子から出力させる再生処理が可能な再生機器である場合には、Ｅ−ＥＤＩＤ情報として、その再生処理可能な能力を記憶してもよい。
【００１９】
以下の説明でＨＤＭＩ規格について、必要な構成などを順に説明するが、基本的には既存のＨＤＭＩ規格をそのまま適用してあり、ＨＤＭＩケーブル１の構成などは従来と同じである。音声データについては、映像データが伝送されるチャンネルのブランキング期間を使用して伝送するように、多重化を行うようにしてある。この音声データをブランキング期間に配置して伝送する処理は、ＨＤＭＩ規格でフォーマット化された一般的な伝送処理である。
【００２０】
図２は、ソース機器１０のＨＤＭＩ送信部１２と、ワイヤレス送信装置２０のＨＤＭＩ受信部２１との間で、ＨＤＭＩケーブル１で伝送される各チャンネルのデータ構成例を示した図である。ワイヤレス受信装置３０とシンク機器４０との間で、ＨＤＭＩケーブル３で伝送される各チャンネルのデータ構成例についても同じである。
【００２１】
図２に示すように、映像データを伝送するチャンネルとして、チャンネル０と、チャンネル１と、チャンネル２の３つのチャンネルが用意してあり、さらにピクセルクロックを伝送するクロックチャンネルが用意してある。また、制御データ伝送チャンネルとしての、ＤＤＣ（Display Data Channel）ライン及びＣＥＣ（Consumer Electronics Control）ラインが用意してある。ＤＤＣラインは、主として表示を制御するデータを伝送する伝送路であり、ＣＥＣラインは、主として接続された機器間で、機器制御のデータなどを相互に伝送する伝送路である。
【００２２】
送信側では、映像データを伝送するチャンネル毎に、伝送処理部（送信部）１２ａ，１２ｂ，１２ｃがＨＤＭＩ送信部１２内に用意してあり、受信側でも、映像データを伝送するチャンネル毎に、伝送処理部（データ受信部）２１ａ，２１ｂ，２１ｃがＨＤＭＩ受信部２１内に用意してある。
【００２３】
各チャンネルの構成について説明すると、チャンネル０では、Ｂデータのピクセルデータと、垂直同期データと水平同期データと補助データとを伝送するようにしてある。チャンネル１では、Ｇデータのピクセルデータと、２種類の制御データ（ＣＴＬ０，ＣＴＬ１）と、補助データとを伝送するようにしてある。チャンネル２では、Ｒデータのピクセルデータと、２種類の制御データ（ＣＴＬ２，ＣＴＬ３）と、補助データとを伝送するようにしてある。
【００２４】
図３は、本例の伝送構成で伝送される映像データの、１フレームのライン構成及びピクセル構成を示した図である。本例の場合に伝送される映像データ（主映像データ）は、非圧縮データ（即ち１画素単位の映像データ）であり、垂直ブランキング期間及び水平ブランキング期間が付加されている。具体的には、図３の例では、表示される映像エリア（アクティブビデオエリアとして示すエリア）として、４８０ライン×７２０ピクセルのピクセルデータとしてあり、ブランキング期間まで含めたライン数及びピクセル数として５２５ライン及び８５８ピクセルとしてある。ブランキング期間中のダブルハッチング（右方向の斜線と左方向の斜線の重なり部分）で示すエリアはデータアイランドと称される、補助データが付加可能な期間である。１フレームのピクセル数がこれより増えた場合にも、ほぼ同様の構成で、ピクセル数だけが増える。但し、フレームレートが同じでピクセル数が増える場合には、ピクセルクロックを対応して高速化する必要がある。
【００２５】
次に、このような構成で行われる伝送処理手順を説明する。ワイヤレス受信装置３０がシンク機器４０に接続された時、ワイヤレス送信装置２０は、シンク機器４０の記憶部４４に記憶してあるＥ−ＥＤＩＤ情報を読み出し、ワイヤレス送信装置２０の記憶部２５に記憶する。
【００２６】
図４は、シンク機器４０に記憶されたＥ−ＥＤＩＤ情報のデータ構造図である。この図４に示したデータ構造の内で、「Video Short」領域には、シンク機器４０が表示可能な映像信号の詳細が記述されている。図５は、その「Video Short」領域に記憶される映像データの一例を示す。１フレームのピクセル数、フレーム周波数、映像のアスペクト比などが様々なものが定義されている。即ち、Ｂｙｔｅ＃１からＢｙｔｅ＃Ｌまでの領域で所定の規格で定義された映像信号フォーマットの内、シンク機器４０が表示可能なフォーマットが解像度・フレームレート・縦横比の組み合わせで表記されている。
【００２７】
また、図４のＥ−ＥＤＩＤデータ構造図の「Vender Specific」領域には、図６のＢｙｔｅ＃６に示す様に、シンク機器４０が表示出来る信号形式情報（Deep Color情報）が記述されている。ＨＤＭＩ映像信号の伝送では、ＲＧＢ信号もしくはＹＣｂＣｒ信号による伝送が可能であり、それぞれのコンポーネントに対して、８ｂｉｔ／１０ｂｉｔ／１２ｂｉｔ／１６ｂｉｔの指定が可能になっている。
例えば、図６の「vender Specific」データ構造のＢｙｔｅ＃６のＢｉｔ＃６／Ｂｉｔ５／Ｂｉｔ４を「１」とすることで、それぞれ１６ｂｉｔ／１２ｂｉｔ／１０ｂｉｔが表示出来ることを示す。
これらの情報を読み出すことで、伝送に必要な伝送レートが計算出来るので、ワイヤレス伝送スピードを越える映像信号フォーマット情報や信号形式情報（Deep Color情報）をワイヤレス送信装置２０の記憶部２５に一旦記憶させた後、これらの情報を削除し、ワイヤレス伝送路の状態に対応したデータに修正する処理を行う。
【００２８】
そして、ソース機器１０がワイヤレス送信装置２０に接続され、シンク機器４０のＥ−ＥＤＩＤ情報の読み出しの要求がある場合、シンク機器４０から読み出さず、ワイヤレス送信装置２０の記憶部２５に記憶された、書き換えられたＥ−ＥＤＩＤ情報をソース機器１０に伝送する。このようにすることで、ワイヤレス接続による伝送帯域レート内での映像データ及び音声データの伝送が可能となる。
【００２９】
図９のフローチャートは、ワイヤレス送信装置２０での処理手順を示す。
ワイヤレス送信装置２０は、接続されたシンク機器があるかとうか判断する（ステップＳ１１）。この判断で、接続されたシンク機器がない場合は本処理を終了する。
接続されたシンク機器がある場合、シンク機器４０の記憶部４４に記憶されたＥ−ＥＤＩＤ情報を読み出す（ステップＳ１２）。引き続き、読み出したＥ−ＥＤＩＤ情報を基に、伝送レートを計算する（ステップＳ１３）。計算により求められた最大伝送レートとワイヤレス送信装置２０およびワイヤレス受信装置３０間で伝送出来る伝送レートと比較する（ステップＳ１４）。その比較で、最大伝送レートがワイヤレス伝送レートより低い場合は、ワイヤレス伝送レート内でリアルタイム伝送が可能であるため、本処理を行わず、読み出したＥ−ＥＤＩＤ情報をそのままワイヤレス送信装置２０の記憶部２５に記憶させる（ステップＳ２０）。
【００３０】
最大伝送レートがワイヤレス伝送レートより高い場合は、Ｅ−ＥＤＩＤ情報を書き換えて、ワイヤレス伝送レート以下になる様に処理を行う。
その処理としては、まず、フレームレートが６０Ｈｚより高いかどうか判断する（ステップＳ１５）。この判断で、フレームレートが６０Ｈｚ以下の場合には、次のステップＳ１６の判断処理へ進む。フレームレートが６０Ｈｚの場合には、フレームレートを半分にし、最大伝送レートを１／２にする（ステップＳ２１）。
この最大伝送レート情報を用いて、ステップＳ２１での伝送レート比較処理を繰り返す。  フレームレートを変更しても最大伝送レートの方が高い場合は、次にプログレッシブ出力かどうかを判断する（ステップＳ１６）。ここで、インターレース出力の場合は、次の判断処理（ステップＳ１７）へ進む。プログレッシブ出力の場合は、インターレース出力にデータを変更し（ステップＳ２２）、最大伝送レートを１／２にする。
【００３１】
この最大伝送レート情報を用いて、伝送レート比較処理を繰り返す（ステップＳ１４）。  インターレース出力に変更しても最大伝送レートの方が高い場合は、次にピクセル毎のビット数が８ｂｉｔ以上かどうかを判断する。
ピクセル毎のビット数が８ｂｉｔの場合には、次の判断処理へ進む（ステップＳ１８）。  ピクセル毎のビット数が８ｂｉｔ以上の場合は、ｂｉｔ数を１６／１２／１０／８ｂｉｔの順にデータを下げて（ステップＳ２３）、最大伝送レートを低下させる。
この最大伝送レート情報を用いて、伝送レート比較処理を繰り返す（ステップＳ１４）。  Ｂｉｔ数を変更しても最大伝送レートの方が高い場合は、次に解像度がＤ１（７２０×４８０）以上かどうかを判断する（ステップＳ１８）。解像度がＤ１の場合には、ワイヤレス伝送ではＨＤＭＩ信号が伝送出来ない旨の表示を行い本処理を終了する（ステップＳ１９）。解像度がＤ１以上の場合は、解像度を１９２０×１０８０／１２８０×７２０／７２０×４８０の順に解像度を下げて（ステップＳ２４）、最大伝送レートを低下させる。この最大伝送レート情報を用いて、ステップＳ１４からの伝送レート比較処理を繰り返す。
【００３２】
ここまで説明したいずれかのデータ処理でワイヤレス伝送レート以下になった場合、その映像フォーマット情報をワイヤレス送信装置２０の記憶部２５に書き込み（ステップＳ２０）、本処理を終了する。
【００３３】
なお、図９のフローチャートでは、それぞれのデータを変化させてワイヤレス伝送レート内に収まるかどうかの判断を順次行う手順で説明したが、例えば図８の様に、これらのパラメータの組み合わせと計算結果を予めテーブルとしてワイヤレス送信装置２０の記憶部２５に持っていて、ワイヤレス伝送レートと比較することで処理手順の簡略化も可能である。
【００３４】
このように、本例の伝送処理を行うことで、ソース機器とシンク機器との間で、ＨＤＭＩ規格でのデータ伝送を行う構成とした上で、ワイヤレス伝送が、良好な伝送レートの設定で可能となる。
【００３５】
なお、上述した実施の形態では、ＨＤＭＩ規格のインターフェースを前提として説明したが、その他の同様な伝送規格にも適用可能である。ＨＤＭＩ規格のケーブルで接続するソース側機器とシンク側機器についても、図１に示した記録再生装置とテレビジョン受像機以外の映像機器で接続する構成としてもよい。
【００３６】
また、上述した実施の形態で説明した図１の構成では、ソース機器１０とシンク機器４０との間に、ワイヤレス送信装置２０とワイヤレス受信装置３０を接続して、そのワイヤレス送信装置２０とワイヤレス受信装置３０との間だけをワイヤレス化したが、ソース機器１０がワイヤレス送信装置２０を内蔵し、シンク機器４０がワイヤレス受信装置３０を内蔵する構成としてもよい。
【００３７】
また、上述した実施の形態では、無線伝送状態に基づいて、Ｅ−ＥＤＩＤ情報の修正だけを行うようにしたが、ワイヤレス送信装置２０での送信データの圧縮処理と、ワイヤレス受信装置３０での受信データの伸張処理とを組み合わせるようにしてもよい。
即ち、例えば図１０に示すように、ワイヤレス送信装置２０′として、ＨＤＭＩ受信部２１が受信したデータを圧縮符号化する圧縮部２６を設け、その圧縮部２６で圧縮されたデータを、ワイヤレス送信部２２から無線送信させる。圧縮部２６での圧縮率については、無線伝送状態に応じて設定する。また、ワイヤレス受信装置３０′として、ワイヤレス受信部３２が受信したデータを伸張する伸張部３５を設け、伸張部３５で伸張したデータを、ＨＤＭＩ送信部３３から送信させる。伸張部３５での伸張率は、圧縮部２６での圧縮率に対応して設定させる。
【００３８】
このように構成した上で、無線伝送路での伝送状態に応じて、圧縮部２６での圧縮率の可変処理と、Ｅ−ＥＤＩＤ情報の修正とを組み合わせて行う。このようにＥ−ＥＤＩＤ情報の修正と、圧縮率の可変処理を組み合わせることで、より高度な対応が可能となる。
【００３９】
また、上述した実施の形態では、シンク機器にＥ−ＥＤＩＤ情報を記憶する記憶部を設けた構成としたが、例えば図１１に示すように、ワイヤレス受信装置３０″側に記憶部３６を設けて、その記憶部３６に、シンク機器のＥ−ＥＤＩＤ情報を記憶するようにしてもよい。記憶部３６が記憶したＥ−ＥＤＩＤ情報は、ワイヤレス受信装置３０の制御部３４が読出して、ワイヤレス送信装置２０側に送信する。シンク機器４０″については、記憶部を省略してもよい。
【００４０】
さらに、上述した実施の形態では、ＩＥＥＥ８０２．１１ｎ規格の無線伝送規格を適用した例としたが、その他の各種無線伝送規格が適用可能である。但し、比較的高速でデータ伝送が可能な規格を使用する必要がある。
【図面の簡単な説明】
【００４１】
【図１】本発明の一実施の形態によるシステム構成例を示すブロック図である。
【図２】本発明の一実施の形態による伝送チャンネル構成例を示す説明図である。
【図３】本発明の一実施の形態によるビット構成例を示す説明図である。
【図４】Ｅ−ＥＤＩＤ情報のデータ構造例を示す説明図である。
【図５】Ｅ−ＥＤＩＤ情報で示される映像フォーマットの例を示す説明図である。
【図６】Ｅ−ＥＤＩＤ情報の要部のデータ構造例を示す説明図である。
【図７】本発明の一実施の形態によるＥ−ＥＤＩＤ情報を修正した例を示す説明図である。
【図８】Ｅ−ＥＤＩＤ情報と伝送レートとの対応のテーブルの例を示した説明図である。
【図９】本発明の一実施の形態による処理例を示したフローチャートである。
【図１０】本発明の他の実施の形態によるシステム構成例を示すブロック図である。
【図１１】本発明のさらに他の実施の形態によるシステム構成例を示すブロック図である。
【符号の説明】
【００４２】
１…ＨＤＭＩケーブル、２…無線伝送路、３…ＨＤＭＩケーブル、１０…ソース機器、１１…再生部、１２…ＨＤＭＩ送信部、１３…制御部、２０…ワイヤレス送信装置、２１…ＨＤＭＩ受信部、２２…ワイヤレス送受信部、２３…アンテナ、２４…制御部、２５…記憶部、２６…圧縮部、３０…ワイヤレス受信装置、３１…アンテナ、３２…ワイヤレス送受信部、３３…ＨＤＭＩ送信部、３４…制御部、３５…伸張部、３６…記憶部、４０…シンク機器、４１…ＨＤＭＩ受信部、４２…表示部、４３…制御部、４４…記憶部
【図１】
2008113198.tif 000003
【図２】
2008113198.tif 000004
【図３】
2008113198.tif 000005
【図４】
2008113198.tif 000006
【図５】
2008113198.tif 000007
【図６】
2008113198.tif 000008
【図７】
2008113198.tif 000009
【図８】
2008113198.tif 000010
【図９】
2008113198.tif 000011
【図１０】
2008113198.tif 000012
【図１１】
2008113198.tif 000013